(57)【要約】      （修正有）【課題】リュックサックのファスナーを閉め忘れて開放状態となった場合、使用者がリュックサックを背負った状態であっても、開放状態を容易に認識できファスナーを提供する。【解決手段】リュックサックの本体部２（布地）の開口部２Ａ、２Ａにファスナー１が取り付けられている。ファスナー１のスライダー３に鈴４が取り付けられており、他方、止め部８に近い本体部２に取り付け手段によって磁石５が固定されている。ファスナー１の閉鎖状態では、鈴４（駒４Ｂ）が磁石５に磁着されるので鈴４は鳴らない。これに対して、ファスナー１が開放された状態では、磁石４から鈴４が離隔しているので、リュックサックが揺れると鈴４が鳴るように構成されている。【選択図】図１
2018057607.tif 000002
【特許請求の範囲】
【請求項１】
隣り合う一対の帯状部材と、該帯状部材の長手方向に沿って移動可能なスライダーとを備えて、物品の開口部を開閉させるファスナーにおいて、
上記スライダー又は物品側のいずれか一方に鈴を設け、上記スライダー又は物品側のいずれか他方に磁石を設けて、
上記スライダーが上記閉鎖位置に位置したファスナーの閉鎖状態では、上記磁石が鈴を磁着して鈴の音が鳴るのが阻止され、
上記スライダーが閉鎖位置からずれたファスナーの開放状態では、上記鈴と磁石が離隔して鈴が鳴るように構成されていることを特徴とするファスナー。
【請求項２】
物品の所定位置にスライダーの閉鎖位置を規制する止め部が固定されており、
上記物品における止め部の近接位置に取り付け手段を介して上記磁石が設けられ、上記スライダーに鈴が設けられていることを特徴とする請求項１に記載のファスナー。
【請求項３】
上記取り付け手段は伸縮性及び／又は可撓性を備えており、該取り付け手段によって上記磁石は上記鈴を磁着した状態で所定範囲内を可動できることを特徴とする請求項２に記載のファスナー。
【請求項４】
物品の所定位置にスライダーの閉鎖位置を規制する止め部が固定されており、
該止め部に支持部材を介して磁石が取り付けられており、上記スライダーに鈴が設けられることを特徴とする請求項１に記載のファスナー。
【請求項５】
物品の所定位置にスライダーの閉鎖位置を規制する止め部が固定されており、
該止め部に上記鈴が設けられており、上記スライダーに磁石が設けられていることを特徴とする請求項１に記載のファスナー。
【請求項６】
隣り合う一対の帯状部材と、該帯状部材の長手方向に沿って移動可能な２つのスライダーとを備えて、物品の開口部を開閉させるファスナーにおいて、
上記スライダーのいずれか一方に鈴を設け、上記スライダーのいずれか他方に磁石を設けて、
両スライダーが相互に当接するファスナーの閉鎖状態では、上記磁石が鈴を磁着して鈴の音が鳴るのを阻止され、
両スライダーが離隔したファスナーの開放状態では上記鈴と磁石とが離隔して鈴が鳴るように構成されていることを特徴とするファスナー。
【請求項７】
上記いずれか他方のスライダーに支持部材を介して磁石が揺動可能に設けられていることを特徴とする請求項６に記載のファスナー。
【請求項８】
上記鈴は、中空の非磁性体からなる本体部と、該本体部の内部に収容された磁性体からなる駒とを備えており、上記磁石は鈴の本体部を介して駒を磁着するように構成されていることを特徴とする請求項１〜請求項７のいずれかに記載のファスナー。
【発明の詳細な説明】
【技術分野】
【０００１】
本発明はファスナーに関し、より詳しくは、ファスナーが開放状態となっていることを鈴の音で認識可能なファスナーに関する。
【背景技術】
【０００２】
従来、例えばリュックサックの出し入れ口を開閉させるためのファスナーは周知であり、スライダーを１つ備えたファスナー又は、スライダーを２つ備えたダブルファスナーによってリュックサックの出し入れ口となる開口部を開閉させるようになっている。
なお、従来、複数の導電部とスイッチ機能とを備えて、ファスナーの開閉状態を検知できるように構成されたファスナーも提案されている（例えば特許文献１）。
【先行技術文献】
【特許文献】
【０００３】
【特許文献１】特開２００７−１８５４８０号公報
【発明の概要】
【発明が解決しようとする課題】
【０００４】
ところで、例えばファスナーのついたリュックサックの場合には、使用者はリュックサックを背負って歩行する場合が多いので、仮にリュックサックのファスナーを閉め忘れて開放状態となっていても、その開放状態を認識できないという問題があった。
【課題を解決するための手段】
【０００５】
上述した事情に鑑み、請求項１に記載した本発明は、隣り合う一対の帯状部材と、該帯状部材の長手方向に沿って移動可能なスライダーとを備えて、物品の開口部を開閉させるファスナーにおいて、
上記スライダー又は物品側のいずれか一方に鈴を設け、上記スライダー又は物品側のいずれか他方に磁石を設けて、上記スライダーが上記閉鎖位置に位置したファスナーの閉鎖状態では、上記磁石が鈴を磁着して鈴の音が鳴るのが阻止され、上記スライダーが閉鎖位置からずれたファスナーの開放状態では、上記鈴と磁石が離隔して鈴が鳴るように構成されていることを特徴とするものである。
また、請求項６に記載した本発明は、隣り合う一対の帯状部材と、該帯状部材の長手方向に沿って移動可能な２つのスライダーとを備えて、物品の開口部を開閉させるファスナーにおいて、
上記スライダーのいずれか一方に鈴を設け、上記スライダーのいずれか他方に磁石を設けて、両スライダーが相互に当接するファスナーの閉鎖状態では、上記磁石が鈴を磁着して鈴の音が鳴るのを阻止され、両スライダーが離隔したファスナーの開放状態では上記鈴と磁石とが離隔して鈴が鳴るように構成されていることを特徴とするものである。
【発明の効果】
【０００６】
このような構成によれば、鈴が鳴ることで使用者はファスナーが開放状態であることを容易に認識することができる。
【図面の簡単な説明】
【０００７】
【図１】本発明の第１実施例を示す正面図。
【図２】図１の要部の分解斜視図。
【図３】上記第１実施例の別形態を示す正面図。
【図４】本発明の第２実施例を示す正面図。
【図５】本発明の第３実施例を示す正面図。
【図６】本発明の第４実施例を示す正面図。
【図７】上記第４実施例の別形態を示す正面図。
【図８】本発明の第５実施例を示す正面図。
【図９】上記第５実施例の別形態を示す正面図。
【図１０】本発明の第６実施例を示す正面図。
【図１１】上記第６実施例の別形態を示す正面図。
【図１２】本発明の第７実施例を示す正面図。
【図１３】上記第７実施例の別形態を示す正面図。
【図１４】本発明の第８実施例を示す正面図。
【図１５】取り付け手段の他の実施例を示す斜視図。
【図１６】取り付け手段の他の実施例を示す斜視図。
【図１７】取り付け手段の他の実施例を示す斜視図。
【発明を実施するための形態】
【０００８】
以下、図示実施例について本発明を説明すると、図１ないし図２は第１実施例を示したものであり、ファスナー１はリュックサックの本体部２（布地）における開口部２Ａの縁部に沿って水平方向に設けられている。このファスナー１は、従来周知のファスナーと同様に使用者が引手３Ａを引いてスライダー３を移動させることで開口部２Ａを開閉させるようになっている。なお、この図１に示すファスナー１は、スライダー３を一つだけ備えたファスナーとなっている。
本実施例のファスナー１は、従来公知の基本構成を前提とした上で、鈴４と磁石５が追加された構成となっており、ファスナー１が開放状態となっている場合には、そのことを鈴４の音で使用者が認識できることが特徴となっている。
すなわち、このファスナー１は、隣り合う一対のファスナーテープ６Ａ、６Ｂ（帯状部材）と、これら各ファスナーテープ６Ａ、６Ｂの近接する長手方向の縁部に沿って設けられた多数のエレメント７（務歯）と、上記各ファスナーテープ６Ａ、６Ｂのエレメント７にわたって設けられて、ファスナーテープ６Ａ、６Ｂの長手方向に沿って移動可能なスライダー３と、リュックサックの本体部２（布地）に取り付けられて上記スライダー３が当接することで、該スライダー３の移動方向の端部を規制する２箇所の止部８（図１では１箇所のみ表示）とを備えている。
両方のファスナーテープ６Ａ、６Ｂの耳部となる外方側の縁部は、開口部２Ａの縁部に沿って本体部２に縫い付けられている。左の止部８は、開口部２Ａの一端となる本体部２に縫い付けられて固定されており、右の図示しない止部８は、開口２Ａの他端となる本体部２に固定されている。ファスナーテープ６Ａ、６Ｂの内方の縁部には多数のエレメント７が等ピッチで設けられている。両ファスナーテープ６Ａ、６Ｂのエレメント７にわたってスライダー３が設けられており、使用者がスライダー３の引手３Ａをつまんでスライダー３をファスナーテープ６Ａ、６Ｂの長手方向に沿って左右に移動させることにより、ファスナー１を開閉させるようになっている。つまり、開口部２Ａが開閉されるようになっている。スライダー３が左の止め部８に当接した状態が閉鎖位置となり、ファスナー１の閉鎖状態となる。他方、スライダー３が止め部８から離隔して図示しない右の止め部８に当接した状態が完全な開放状態となる。以上の構成は従来公知のファスナーと同じである。
【０００９】
しかして、上記スライダー３の引手３Ａの自由端に鈴４が揺動可能に取り付けられており、スライダー３が左の止め部８から離隔しているファスナー１の開放状態では、引手が揺れることで鈴４が鳴るようになっている。この鈴４は、一般的な鈴と同様に、中空の球状をした金属製（真鍮等の非磁性体）の本体部４Ａと、この本体部４Ａ内に収容された鉄等の磁性体の駒４Ｂとを備えている。
他方、図１において止め部８の下方位置となる本体部２には、取り付け手段９により磁石５が固定されている。図２に示すように、取り付け手段９は、正面に上記磁石５を埋設したブロック状の保持部９Ａと、画鋲と同様の形状をした取り付けピン９Ｂとを備えている。そして、保持部９Ａの底部をリュックサックの本体部２の表面に重合させた状態において、取り付けピン９Ｂを裏面側から本体部２に刺し通してから保持部９Ａの嵌合孔９Ｃに嵌合させるようになっている。それにより、保持部９Ａの底部と取り付けピン９Ｂの円座部とで本体部２（布地）が挟持されて、本体部２の所要位置に磁石５を固定できるようになっている。
スライダー３が左の止め部８に当接した状態がファスナー１の閉鎖状態となり、その状態では、引手３Ａと鈴４が自重により鉛直下方に向けて支持されることになる。そこで、本実施例では、その状態の鈴４に近接する側方から磁石５が当接するように、取り付け手段９の本体部２への取り付け位置を決めている。
これにより、スライダー３が止め部８に当接したファスナー１の閉鎖状態では、引手３Ａおよび鈴４が自重によって鉛直下方に向けて支持されるので、鈴４の本体部４Ａの側方を介して駒４Ｂが磁石５に磁着されるようになっている（図１の状態）。他方、スライダー３が右方向に移動されて、止め部８からスライダー３が離隔している開放状態では、鈴４は磁石５から離隔しているので、その状態であれば鈴４が揺れると音が出るようになっている。
【００１０】
本実施例のファスナー１は以上のように構成されている。そのため、ファスナー１が閉鎖されている状態、つまり、スライダー３が左の止め部８に当接して閉鎖位置にある状態では、スライダー３の引手３Ａに付けた鈴４内の駒４Ｂが、磁石５に磁着される（図１の状態）。このファスナー１の閉鎖状態では、鈴４の本体部４Ａを挟んで駒４Ｂが磁石５に磁着されているので、鈴４が揺れても音は出ないようになっている。
他方、ファスナー１が開放されている状態では、スライダー３は左の止め部８から離隔してファスナーテープ６Ａ、６Ｂの長手方向の途中の位置にあるか、又は図示しない右の止め部８に当接しており、したがって、鈴４は磁石５から離隔して内部の駒４Ｂが転動できるようになっている。この開放状態において、ファスナー１の鈴４が揺れると駒４Ｂが転動して音が鳴るようになっている。そのため、使用者がリュックサックを背負って歩いている際に、鈴４の音が鳴ることで、リュックサックのファスナー１が開放状態であることを使用者が容易に認識することができる。
【００１１】
以上のように、本実施例によれば、ファスナー１が開放状態となっていることを使用者は鈴４の音で認識することでき、仮に使用者がリュックサックを背負って歩いている場合であっても、ファスナー１の開放状態を鈴４の音で容易に認識することができる。
また、本実施例によれば、磁石５と鈴４を用いた簡略な構成により、ファスナー１の開放状態を認識できるので、安価な値段により、開放状態を確実に認識可能なファスナーを提供することができる。
さらに、ファスナー１が閉鎖状態のとき、つまりスライダー３が閉鎖位置にあるときには磁石５により鈴４が磁着されているので、多少の揺れではスライダー３が閉鎖位置から移動しにくくなっている。そのため、従来の一般的なファスナーと比較して本実施例のファスナー１は閉鎖状態から容易に開放されにくいという効果も得られる。
次に、図３は第１実施例の別形態を示したものである。つまり、図１に示した第１実施例において、取り付け手段９の取り付け位置を変更したものであり、この図３に示すように、引手３Ａと鈴４が鉛直下方に向けて支持された状態における、鈴４の隣接下方の位置に磁石５が位置するようにしても良い。
この図３の構成においては、スライダー３が左の止め部８に当接して閉鎖位置にある時には、引手３Ａと鈴４が垂れ下がった状態となり、該鈴４の駒４Ｂは下方側から磁石５によって磁着されるようになっている。この図３に示した実施形態においては、垂れ下がった状態の鈴４の駒４Ｂを下方側から磁石５によって磁着する構成となっているので、図１の実施例と比較して磁力の弱い磁石５を用いることができる。
【００１２】
次に、図４は本発明の第２実施例を示したものであり、この第２実施例は、ファスナー１をリュックサックの本体部２に上下方向（鉛直方向）に取り付けた場合の構成を示している。
この第２実施例においては、上記第１実施例における取り付け手段９を省略し、その代わりに、磁石５を保持した支持部材１１を上側の止め部８に吊り下げたものである。
この第２実施例では、ファスナー１は、本体部２の上下方向の開口部２Ａに沿って上下方向に取り付けられており、上側の止め部８にスライダー３が当接した状態がファスナー１の閉鎖状態となる。閉鎖状態では、引手３Ａと鈴４は、自重により鉛直下方に向けて支持されることになる。
そこで、この第２実施例では、上方側の止め部８の側部を横へ突出させて環状部８Ａを形成してあり、そこに支持部材１１の一端（上端）を揺動可能に取り付けている。支持部材１１の他端（下端）は大径部１１Ａとなっており、そこに磁石５を設けている。
また、支持部材１１の全長は、閉鎖状態における鈴４よりも磁石５が少し上方側となる長さに設定されている。また、円柱状の大径部１１Ａは、その軸心が、支持部材１１の長手方向に対して約４５度傾斜するように形成されている。その他の構成は、図１の第１実施例と同じであり、第１実施例と対応する各部材には、同じ部材番号を付している。
このような構成の第２実施例においては、図４に示すファスナー１の閉鎖状態では、スライダー３の引手３Ａと鈴４は自重で垂れ下がった状態となり、同じく垂れ下がった状態の支持部材側の磁石５により鈴４の駒４Ｂが近接上方側から磁着される。この状態では、揺動されても鈴４は鳴らない。
他方、スライダー３が引き下げられて上側の止め部８から離隔した状態（ファスナー１の開放状態）においては、鈴４は磁石５から離隔しているので、鈴４が揺れると音が鳴るようになっている。そのため、鈴４の音により使用者はファスナー１の開放状態であることを容易に認識することができる。このような第２実施例においても上記第１実施例と同様の作用・効果を得ることができる。
【００１３】
次に図５は本発明の第３実施例を示したものであり、この第３実施例は上記第２実施例における支持部材１１の長さを長くするとともに、大径部１１Ａの傾斜方向を磁石５が斜め下方側から鈴４を磁着するように変更したものである。その他の構成は図４に示した第２実施例と同じであり、第２実施例と対応する各部材には同じ部材番号を付している。このような構成の第３実施例であっても上記各実施例と同様の作用・効果を得ることができる。
【００１４】
次に図６は本発明の第４実施例を示したものであり、この第４実施例は、支持部材１１の長さを上記図４、図５の実施例の中間の長さに改良したものである。この第４実施例では、閉鎖状態における鈴４の真横に大径部１１Ａと磁石５が位置するようになっており、したがって、鈴４は磁石５によって真横から磁着される構成となる。
その他の構成は、図４に示した第２実施例と同じであり、第２実施例と対応する各部材には同じ部材番号を付している。このような構成の第４実施例であっても上記各実施例と同様の作用・効果を得ることができる。
次に図７は第４実施例の別形態を示したものであり、支持部材１１と磁石５をファスナーテープ６Ｂの裏面側（内方側）に配置したものである。より詳細には、上方の止め部８の裏面側（内方側）に環状部８Ａを形成し、そこに図６と同様の支持部材１１を揺動可能に取り付けている。これにより、ファスナーテープ６Ｂとリュックサックの本体部２Ａの内方側に支持部材１１と磁石５が位置し、ファスナーテープ６Ｂ、本体部２Ａ越しに磁石５は鈴４を磁着する構成となっている。
【００１５】
次に、図８は本発明の第５実施例を示したものであり、この第５実施例は、上記第１実施例における取り付け手段９を省略し、その代わりに左の止め部８に図６と同様の支持部材１１を一体に形成し、その大径部１１Ａに磁石５を埋設したものである。その他の構成は、図６に示した第４実施例と同じであり、第４実施例と対応する各部材には同じ部材番号を付している。このような構成の第５実施例であっても上記各実施例と同様の作用・効果を得ることができる。
次に図９は第５実施例の別形態を示したものであり、支持部材１１と磁石５をファスナーテープ６Ｂの裏面側（内方側）に配置したものである。より詳細には、上方の止め部８の裏面側（内方側）に支持部材１１を一体に形成している。これにより、ファスナーテープ６Ｂとリュックサックの本体部２Ａの内方側に支持部材１１と磁石５が位置し、ファスナーテープ６Ｂ、本体部２Ａ越しに磁石５が鈴４を磁着する構成となっている。
【００１６】
上述した第１実施例から第５実施例は、スライダー３を一つだけ備えたファスナーに本発明を適用した実施例を示したものであるが、以下、図１０から図１４に示す各実施例は、スライダーを２つ備えたダブルファスナーに本発明を適用したものである。
すなわち、図１０は本発明の第６実施例を示したものであり、両方のスライダー３、３が当接する閉鎖位置（閉鎖状態）となる本体部２の所定位置には、図１の第１実施例と同様に取り付け手段９により磁石５が固定されている。その他の構成は、図１に示した第１実施例と同じであり、第１実施例と対応する部材には同じ部材番号を付している。
この第６実施例においては、両方のスライダー３、３が所定位置で当接するとファスナー１の閉鎖状態となり、その状態では磁石５が鈴４を磁着するので、鈴４は鳴らないようなっている。他方、両方のスライダー３、３が離隔しているファスナー１の開放状態では、磁石５と鈴４は離隔しているので、鈴４が揺れると音が鳴るようになっている。このような構成の第６実施例であっても上記各実施例と同様の作用・効果を得ることができる。
次に、図１１は第６実施例の別の形態を示したものであり、具体的には、鉛直下方に向けて垂れ下がった引手３Ａと鈴４の隣接下方側に、取り付け手段９を介して磁石５が上を向くように固定されている。これにより、両スライダー３、３が閉鎖位置となって相互に当接すると、引手３Ａと鈴４が垂れ下がった際に、該鈴４が磁石５に磁着されるようになっている。
【００１７】
次に、図１２は本発明の第７実施例を示したものであり、一方（右）のスライダー３の引手３Ａに鈴４を揺動可能に取り付けるとともに、他方（左）のスライダー３には、引手３Ａおよび上記図６と類似した支持部材１１により磁石５を揺動可能に取り付けたものである。換言すると、上記図１０の実施例における取り付け手段９を省略し、その代わりに、左のスライダー３に支持部材１１を介して磁石５を設けたものである。支持部材１１の大径部１１Ａは、支持部材１１の長手方向に対して９０度曲がっており、そこに磁石５が埋設されている。この実施例では、支持部材１１は、左方のスライダー３の引手を兼ねている。
そのため、両方のスライダー３，３、が相互に当接したファスナー１の閉鎖状態では、自重によって鉛直下方を向けた鈴４が磁石５に磁着されるようになっている。その状態では、鈴４は鳴らないようになっている。
他方、両スライダー３，３が離隔したファスナー１の開放状態においては、磁石５は鈴４から離隔しているので、この状態で鈴４が揺れると音が鳴るようになっている。つまり、ファスナー１の開放状態では鈴４が鳴ることで、使用者は容易にファスナー１が開放状態であることを認識することができる。その他の構成は、図１０の第６実施例と同じであり、それと対応する各部材には同じ部材番号を付している。このような構成の第７実施例においても上記各実施例と同様の作用・効果を得ることができる。
次に、図１３は上記第７実施例の別形態を示したものであり、支持部材１１と磁石５をファスナーテープ６Ｂ及び本体部２Ａの裏面側（内方側）に配置したものである。より詳細には、左のスライダー３の裏面側（内方側）に上記図１２と同様の支持部材１１を揺動可能に取り付けている。これにより、ファスナーテープ６Ｂとリュックサックの本体部２Ａの内方側に支持部材１１と磁石５が位置し、ファスナーテープ６Ｂ、本体部２Ａ越しに磁石５が鈴４を磁着する構成となっている。なお、この実施形態では、左方の止め部８の表面側には引手３Ａが取り付けられている。
【００１８】
次に、図１４は本発明の第８実施例を示したものであり、この第８実施例は、上記図１２の第７実施例における支持部材１１の形状を改良したものである。
すなわち、支持部材１１の全体形状は、く字形に形成されており、下端部となる大径部１１Ａの磁石５によって鈴４を下方側から磁着するように構成されている。その他の構成は図１２に示した第７実施例と同じであり、それと対応する各部材に同じ部材番号を付している。
この第８実施例においては、両スライダー３，３が当接するファスナー１の閉鎖状態では、磁石５が鈴４を下方側から磁着するようになっている。このような構成の第８実施例であっても、上記各実施例と同様の作用・効果を得ることができる。
【００１９】
次に、図１５ないし図１７は、上記図１〜図３及び図１０、図１１に示した取り付け手段９に関する他の実施例を示したものであり、この図１５ないし図１７に示した取り付け手段９は、伸縮性及び／又は可撓性を備えていることが特徴である。
すなわち、図１５に示した取り付け手段９は、円柱状の固定部９Ｄと、磁石５を保持する保持部９Ａと、固定部９Ｄと保持部９Ａを接続する波形をしたばね部９Ｅと、固定部９Ｄの嵌合孔９Ｃに嵌合される取り付けピン９Ｂとから構成されている。
固定部９Ｄの底部を物品の表面（上記本体部２Ａ）に重合させ、裏面側から取り付けピン９Ｂを固定部９Ｄの嵌合孔９Ｃに嵌合することで、磁石５を物品に取り付けるようになっている。ばね部９Ｅは前後、左右、上下方向に可撓性を備えているので、磁石５はばね部９Ｅにより所定範囲内で可動することができる。また、嵌合孔９Ｃを回転中心として、固定部９Ｄ、ばね部９Ｅ、保持部９Ａおよび磁石５を回転させることができる。そのため、磁石５は鈴４を磁着した状態において上記所定範囲内で可動することができるので、多少の揺れや衝撃では磁石５が鈴４から離隔しないようになっている。
次に、図１６の取り付け手段９は、ばね部９Ｅとしてコイルばねを採用し、固定部９Ｄ、ばね部９Ｅ、磁石５を保持した保持部９Ａを軸方向に一列となるように構成したものである。このような構成であっても、図１５に示した実施例と同様の効果を得ることができる。
さらに、図１７に示す取り付け手段９は、保持部９Ａを円筒部９Ｆ内に摺動自在に嵌合するとともに、円筒部９Ｆの基部両側を、固定部９Ｄの左右の支持部９Ｄ’に揺動自在に取り付けている。
円筒部９Ｆの軸方向中央側には、長孔９Ｆ’が形成されており、その長孔９Ｆ’に保持部９Ａ側のピン９Ａ’が挿通されている。ピン９Ａ’が長孔９Ｆ’内で移動可能な距離だけ、保持部９Ａと磁石５は進退（伸縮）可能となっている。また、円筒部９Ｆ、保持部９Ａおよび磁石５は、固定部９Ｄの支持部９Ｄ’を支点として揺動可能となっている。さらに、取り付けピン９Ｂを嵌合孔９Ｃに嵌合した状態では、該嵌合孔９Ｃを回転中心として固定部９Ｄ、磁石５等が回転できるようになっている。このような構成の取り付け手段９であっても、上記図１５、図１６の実施例と同様の作用・効果を得ることができる。
【００２０】
なお、上記図１〜図１４に示した第１実施例から第８実施例において、磁石５と鈴４の配置位置を逆にして止め部８に鈴４を設け、磁石５を引き手３Ａに設けても良い。
また、上記各実施例においては、鈴４を引手３Ａに揺動可能に取り付けているが、鈴４（本体部４Ａ）を引手３Ａに固定しても良い。
さらに、上記各実施例は、本発明をリュックサックの本体部２の開口部２Ａ（出し入れ口）に適用した場合について説明しているが、カバンやその他の物品の開口部に本発明のファスナー１を適用できることは勿論である。
また、上記各実施例は、一対のファスナーテープ６Ａ、６Ｂに多数のエレメント７を備えたファスナー１に本発明を適用した実施例を開示したが、多数のエレメント７を用いる代わりに、左右一対の帯状部材にわたって樹脂製のスライダーを取り付けた形式のファスナーにも、本発明を適用することは可能である。
【符号の説明】
【００２１】
１‥ファスナー                  ２‥本体部（リュックサック）
２Ａ‥開口部                    ３‥スライダー
４‥鈴                          ５‥磁石
【図１】
2018057607.tif 000003
【図２】
2018057607.tif 000004
【図３】
2018057607.tif 000005
【図４】
2018057607.tif 000006
【図５】
2018057607.tif 000007
【図６】
2018057607.tif 000008
【図７】
2018057607.tif 000009
【図８】
2018057607.tif 000010
【図９】
2018057607.tif 000011
【図１０】
2018057607.tif 000012
【図１１】
2018057607.tif 000013
【図１２】
2018057607.tif 000014
【図１３】
2018057607.tif 000015
【図１４】
2018057607.tif 000016
【図１５】
2018057607.tif 000017
【図１６】
2018057607.tif 000018
【図１７】
2018057607.tif 000019